(57)【要約】【課題】消費電力を低減することができる通信システムを提供する。【解決手段】認証情報を送信する携帯端末１０と、携帯端末１０から送信された認証情報を認証する認証装置２０と、を備えた通信システム１であって、携帯端末１０は、第１通信部１１と、第２通信部１２と、信号検知部と、電源部１４と、制御部１６と、を備え、制御部１６は、前記信号検知部において通信開始信号を受信した場合、スリープ状態から復帰して、電源部１４から第２通信部１２へ電力を供給させると共に、第２通信部１２を介して認証装置２０との間で記憶媒体３０に記憶された認証情報と同じ認証情報の送信を含む通信を開始させ、当該通信が終了した場合、スリープ状態へ移行して、電源部１４から第２通信部１２への電力の供給を停止させると共に、前記信号検知部において通信開始信号を受信するまでスリープ状態を維持することを特徴とする。【選択図】図１
2016072859.tif 000002
【特許請求の範囲】
【請求項１】
認証情報を送信する携帯端末と、当該携帯端末から送信された認証情報を認証する認証装置と、を備えた通信システムであって、
前記携帯端末は、
認証情報を送信する記憶媒体との間で通信を行う第１通信部と、
人体を介して前記認証装置との間で通信を行う第２通信部と、
前記認証装置から送信された通信開始信号を検知する信号検知部と、
電力を供給する電源部と、
前記第１通信部、前記第２通信部及び前記電源部を制御する制御部と、を備え、
前記制御部は、
前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、
前記認証装置との間で前記認証情報の送信を含む通信が終了した場合、スリープ状態へ移行して、前記電源部から前記第２通信部への電力の供給を停止させると共に、前記信号検知部において前記通信開始信号を受信するまで前記スリープ状態を維持すること、
を特徴とする通信システム。
【請求項２】
請求項１に記載の通信システムにおいて、
前記認証情報を記憶する記憶部を備え、
前記制御部は、
前記第１通信部を介して前記記憶媒体から読み出した前記認証情報を前記記憶部に記憶させ、
前記スリープ状態から復帰して、前記認証装置との間で前記認証情報の送信を含む通信を行う場合、前記記憶部から読み出した前記認証情報を、前記第２通信部を介して前記認証装置に送信させること、
を特徴とする通信システム。
【請求項３】
請求項１に記載の通信システムにおいて、
前記制御部は、
前記スリープ状態から復帰して、前記認証装置との間で前記認証情報の送信を含む通信を行う場合、前記第１通信部を介して前記記憶媒体から読み出した前記認証情報を、前記第２通信部を介して前記認証装置に送信させること、
を特徴とする通信システム。
【請求項４】
請求項２に記載の通信システムにおいて、
前記記憶媒体を検知する記憶媒体検知部を備え、
前記制御部は、
前記記憶媒体検知部において前記記憶媒体が検知された場合、電源オンの状態へ移行して、前記電源部からの電力の供給を開始させると共に、前記第１通信部を介して前記記憶媒体から読み出した前記認証情報を前記記憶部に記憶させた後、前記スリープ状態へ移行し、
前記記憶媒体検知部において前記記憶媒体が検知されない場合、前記スリープ状態から復帰して、前記記憶部に記憶されている前記認証情報を削除させると共に、電源オフの状態へ移行して、前記電源部からの電力の供給を停止させること、
を特徴とする通信システム。
【請求項５】
認証情報を送信する記憶媒体との間で通信を行う第１通信部と、人体を介して認証装置との間で通信を行う第２通信部と、前記認証装置から送信された通信開始信号を検知する信号検知部と、電力を供給する電源部と、前記第１通信部、前記第２通信部及び前記電源部を制御する制御部と、を備えた携帯端末の通信制御方法であって、
前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させるステップと、
前記認証装置との間で前記認証情報の送信を含む通信が終了した場合、スリープ状態へ移行して、前記電源部から前記第２通信部への電力の供給を停止させると共に、前記信号検知部において前記通信開始信号を受信するまで前記スリープ状態を維持するステップと、を備えること、
を特徴とする通信制御方法。
【請求項６】
認証情報を送信する記憶媒体との間で通信を行う第１通信部と、
人体を介して認証装置との間で通信を行う第２通信部と、
前記認証装置から送信された通信開始信号を検知する信号検知部と、
電力を供給する電源部と、
前記第１通信部、前記第２通信部及び前記電源部を制御する制御部と、を備えた携帯端末であって、
前記制御部は、
前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、
前記認証装置との間で前記認証情報の送信を含む通信が終了した場合、スリープ状態へ移行して、前記電源部から前記第２通信部への電力の供給を停止させると共に、前記信号検知部において前記通信開始信号を受信するまで前記スリープ状態を維持すること、
を特徴とする携帯端末。
【請求項７】
認証情報を送信する携帯端末として、認証情報を送信する記憶媒体との間で通信を行う第１通信部と、人体を介して認証装置との間で通信を行う第２通信部と、前記認証装置から送信された通信開始信号を検知する信号検知部と、電力を供給する電源部と、前記第１通信部、前記第２通信部及び前記電源部を制御する制御部と、を備えた携帯端末の携帯端末用プログラムであって、
コンピュータを、
前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、
前記認証装置との間で前記認証情報の送信を含む通信が終了した場合、スリープ状態へ移行して、前記電源部から前記第２通信部への電力の供給を停止させると共に、前記信号検知部において前記通信開始信号を受信するまで前記スリープ状態を維持する制御手段、
として機能させることを特徴とする携帯端末用プログラム。
【発明の詳細な説明】
【技術分野】
【０００１】
本発明は、通信システム、通信制御方法、携帯端末、及び携帯端末用プログラムに関する。
【背景技術】
【０００２】
従来、近距離通信システムに用いられるＩＣカード等の記憶媒体を、電界（人体）通信システムにも利用できるようにするため、記憶媒体から情報を読み取るリーダライタを、記憶媒体を取り付けるアダプタ本体に内蔵した携帯端末が提案されている（例えば、特許文献１，２参照）。
【先行技術文献】
【特許文献】
【０００３】
【特許文献１】特許第５０１２８３０号公報
【特許文献２】特許第５０１２８３１号公報
【発明の概要】
【発明が解決しようとする課題】
【０００４】
従来例の携帯端末では、ＩＣカードがアダプタ本体に差し込まれて電源オンの状態となった後、ＩＣカードがアダプタ本体から抜き取られて電源オフの状態となるまでの間、電界通信を行うトランシーバ等において電力が消費される。
【０００５】
本発明の目的は、消費電力を低減することができる通信システム、通信制御方法、携帯端末、及び携帯端末用プログラムを提供することにある。
【課題を解決するための手段】
【０００６】
本発明は、以下のような解決部により、前記課題を解決する。なお、理解を容易にするために、本発明の実施形態に対応する符号を付して説明するが、これに限定されるものではない。また、符号を付して説明した構成は、適宜改良してもよく。また、少なくとも一部を他の構成物に代替してもよい。
【０００７】
・第１の発明は、認証情報を送信する携帯端末（１０）と、当該携帯端末から送信された認証情報を認証する認証装置（２０）と、を備えた通信システム（１）であって、前記携帯端末は、認証情報を送信する記憶媒体との間で通信を行う第１通信部（１１）と、人体を介して前記認証装置との間で通信を行う第２通信部（１２）と、前記認証装置から送信された通信開始信号を検知する信号検知部と、電力を供給する電源部（１４）と、前記第１通信部、前記第２通信部及び前記電源部を制御する制御部（１６）と、を備え、前記制御部は、前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、前記認証装置との間で前記認証情報の送信を含む通信が終了した場合、スリープ状態へ移行して、前記電源部から前記第１通信部及び前記第２通信部への電力の供給を停止させると共に、前記信号検知部において前記通信開始信号を受信するまで前記スリープ状態を維持すること、を特徴とする通信システムである。
【０００８】
・第２の発明は、第１の発明の通信システム（１）において、前記認証情報を記憶する記憶部（１３）を備え、前記制御部（１６）は、前記第１通信部（１１）を介して前記記憶媒体（３０）から読み出した前記認証情報を前記記憶部に記憶させ、前記スリープ状態から復帰して、前記認証装置（２０）との間で前記認証情報の送信を含む通信を行う場合、前記記憶部から読み出した前記認証情報を、前記第２通信部（１２）を介して前記認証装置に送信させること、を特徴とする通信システムである。
【０００９】
・第３の発明は、第１の発明の通信システム（１）において、前記制御部（１６）は、前記スリープ状態から復帰して、前記認証装置（２０）との間で前記認証情報の送信を含む通信を行う場合、前記第１通信部（１１）を介して前記記憶媒体（３０）から読み出した前記認証情報を、前記第２通信部（１２）を介して前記認証装置に送信させること、を特徴とする通信システムである。
【００１０】
・第４の発明は、第２の発明の通信システム（１）において、前記記憶媒体（３０）を検知する記憶媒体検知部（１５）を備え、前記制御部（１６）は、前記記憶媒体検知部において前記記憶媒体が検知された場合、電源オンの状態へ移行して、前記電源部（１４）からの電力の供給を開始させると共に、前記第１通信部（１１）を介して前記記憶媒体から読み出した前記認証情報を前記記憶部（１３）に記憶させた後、前記スリープ状態へ移行し、前記記憶媒体検知部において前記記憶媒体が検知されない場合、前記スリープ状態から復帰して、前記記憶部に記憶されている前記認証情報を削除させると共に、電源オフの状態へ移行して、前記電源部からの電力の供給を停止させること、を特徴とする通信システムである。
【００１１】
・第５の発明は、認証情報を送信する記憶媒体（３０）との間で通信を行う第１通信部（１１）と、人体を介して認証装置（２０）との間で通信を行う第２通信部（１２）と、前記認証装置から送信された通信開始信号を検知する信号検知部と、電力を供給する電源部（１４）と、前記第１通信部、前記第２通信部及び前記電源部を制御する制御部（１６）と、を備えた携帯端末（１０）の通信制御方法であって、前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させるステップと、前記認証装置との間で前記認証情報の送信を含む通信が終了した場合、スリープ状態へ移行して、前記電源部から前記第１通信部及び前記第２通信部への電力の供給を停止させると共に、前記信号検知部において前記通信開始信号を受信するまで前記スリープ状態を維持するステップと、を備えること、を特徴とする通信制御方法である。
【００１２】
・第６の発明は、認証情報を送信する記憶媒体（３０）との間で通信を行う第１通信部（１１）と、人体を介して認証装置（２０）との間で通信を行う第２通信部（１２）と、前記認証装置から送信された通信開始信号を検知する信号検知部と、電力を供給する電源部（１４）と、前記第１通信部、前記第２通信部及び前記電源部を制御する制御部（１６）と、を備えた携帯端末（１０）であって、前記制御部は、前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、前記認証装置との間で前記認証情報の送信を含む通信が終了した場合、スリープ状態へ移行して、前記電源部から前記第１通信部及び前記第２通信部への電力の供給を停止させると共に、前記信号検知部において前記通信開始信号を受信するまで前記スリープ状態を維持すること、を特徴とする携帯端末である。
【００１３】
・第７の発明は、認証情報を送信する携帯端末（１０）として、認証情報を送信する記憶媒体（３０）との間で通信を行う第１通信部（１１）と、人体を介して認証装置（２０）との間で通信を行う第２通信部（１２）と、前記認証装置から送信された通信開始信号を検知する信号検知部と、電力を供給する電源部（１４）と、前記第１通信部、前記第２通信部及び前記電源部を制御する制御部（１６）と、を備えた携帯端末の携帯端末用プログラムであって、コンピュータを、前記信号検知部において前記通信開始信号を受信した場合、スリープ状態から復帰して、前記電源部から前記第２通信部へ電力の供給を開始させると共に、前記第２通信部を介して前記認証装置との間で前記記憶媒体に記憶された前記認証情報と同じ認証情報の送信を含む通信を開始させ、前記認証装置との間で前記認証情報の送信を含む通信が終了した場合、スリープ状態へ移行して、前記電源部から前記第１通信部及び前記第２通信部への電力の供給を停止させると共に、前記信号検知部において前記通信開始信号を受信するまで前記スリープ状態を維持する制御手段、として機能させることを特徴とする携帯端末用プログラムである。
【発明の効果】
【００１４】
本発明によれば、消費電力を低減することができる通信システム、通信制御方法、携帯端末、及び携帯端末用プログラムを提供することができる。
【図面の簡単な説明】
【００１５】
【図１】入室管理システム１の全体構成を示すブロック図である。
【図２】ＩＣカード３０が挿入されたカードホルダ１０の外観図である。
【図３】ＩＣカード３０とカードホルダ１０とを示す斜視図である。
【図４】入室管理システム１Ａの全体構成図である。
【図５】入室管理システム１Ｂの全体構成図である。
【図６】カードホルダ１０の端末側制御部１６により実行されるＩＤ情報更新処理の手順を示すフローチャートである。
【図７】カードホルダ１０の端末側制御部１６により実行されるＩＤ情報読み出し処理の手順を示すフローチャートである。
【発明を実施するための形態】
【００１６】
以下、本発明に係る通信システムを、入室管理システムに適用した実施形態について説明する。
図１は、本実施形態における入室管理システム１の全体構成を示すブロック図である。図２は、ＩＣカード３０が挿入されたカードホルダ１０の外観図である。図３は、ＩＣカード３０とカードホルダ１０とを示す斜視図である。
【００１７】
図１に示すように、入室管理システム１は、カードホルダ１０と、認証装置２０と、から構成される。
まず、カードホルダ１０の構成について説明する。
カードホルダ１０は、入室管理システムの利用者が保持する携帯端末である。カードホルダ１０は、図２に示すように、箱枠形状の筐体１００により構成される。筐体１００の内部には、後述するリーダライタ１１等の電子部品が配置されている。筐体１００は、ＩＣカード３０（後述）を保持可能な第１面１０１、及び第１面１０１とは反対側の第２面１０２とを有する。
【００１８】
筐体１００において、第１面１０１の外周域には、挿入されたＩＣカード３０の側面を保持する複数の保持片１０３が設けられている。カードホルダ１０の利用者は、図３に示すように、ＩＣカード３０を筐体１００の一端側から第１面１０１に沿って矢印方向に挿入することにより、ＩＣカード３０をカードホルダ１０に保持させることができる。なお、筐体１００の第１面１０１には、スイッチ１５（後述）の可動片１５ａが突出している。この可動片１５ａは、ＩＣカード３０をカードホルダ１０に挿入すると、ＩＣカード３０により押圧され、第１面１０１の側に埋没する。
【００１９】
ＩＣカード３０は、ループアンテナ、ＩＣチップ等（いずれも不図示）が内蔵されたＩＣタグである。ループアンテナは、ＮＦＣ（Ｎｅａｒ  Ｆｉｅｌｄ  Ｃｏｍｍｕｎｉｃａｔｉｏｎ）規格帯の電磁波により情報を送受信可能なアンテナである。ＩＣチップは、ループアンテナを介して、筐体１００に内蔵されたリーダライタ１１（後述）との間で情報の送受信を行う。ＩＣチップは、ＣＰＵ、メモリ等（いずれも不図示）により構成される。ＩＣチップのメモリには、ＩＣカード３０の利用者を識別するためのＩＤ情報（認証情報）が記憶されている。
【００２０】
ＩＣカード３０とリーダライタ１１との間の通信は、例えば、ＮＦＣ規格（ＩＳＯ／ＩＥＣ１８０２（ＮＦＣ  ＩＰ−１）、（ＩＳＯ／ＩＥＣ１４８１（ＮＦＣ  ＩＰ−２）に基づいて、１３．５６ＭＨｚの電磁波を利用して行われる。ＩＣカード３０とリーダライタ１１との間の通信は、数ｍｍから数十ｍｍ程度の距離で可能となる。ＩＣカード３０がカードホルダ１０に保持されると、ＩＣカード３０とリーダライタ１１との距離は、数ｍｍ程度となる。
【００２１】
また、図２に示すように、筐体１００の第２面１０２には、信号電極１２１が配置されている。信号電極１２１は、電界通信において、利用者（人体）の近傍に変調電界を誘起する電極である。信号電極１２１は、平面視において、筐体１００の第２面１０２をほぼ覆うように、略四角形に形成されている。信号電極１２１は、筐体１００に内蔵された後述の端末側通信部１２（不図示）と電気的に接続されている。
【００２２】
カードホルダ１０は、図１に示すように、リーダライタ１１（第１通信部）と、端末側通信部１２（第２通信部）と、記憶部１３と、電源部１４と、スイッチ１５（記憶媒体検知部）と、端末側制御部１６と、を備える。
【００２３】
リーダライタ１１は、ＩＣカード３０（後述）との間で非接触により情報を送受信する、ＮＦＣ規格に対応したリーダライタである。ＩＣカード３０がカードホルダ１０に保持されると、ＩＣカード３０とリーダライタ１１との間で電磁誘導による情報の送受信が行われ、ＩＣカード３０のメモリに記憶されたＩＤ情報がリーダライタ１１で読み取られる。リーダライタ１１で読み取られたＩＤ情報は、記憶部１３（後述）に記憶される。
【００２４】
端末側通信部１２は、送信する情報に応じて変調された信号を信号電極１２１に供給して、人体の近傍に変調電界を誘起させ、後述する外部の認証装置２０（不図示）に人体を介した電界通信により信号を送信する。また、端末側通信部１２は、認証装置２０から送信された信号（例えば、通信開始信号）により、人体の近傍に誘起された変調電界を信号電極１２１で受信し、外部の認証装置２０から人体を介した電界通信により信号を受信する。端末側通信部１２は、不図示の電界通信Ｉ／Ｆ（インターフェース）、電界通信制御ドライバ等により構成される。このうち、電界通信Ｉ／Ｆは、後述する認証装置２０から送信される通信開始信号を検知する信号検知部として機能する。
【００２５】
記憶部１３は、リーダライタ１１を介してＩＣカード３０から読み取ったＩＤ情報、端末側制御部１６で実行される各種のアプリケーションソフト等を記憶する。記憶部１３には、アプリケーションソフトとして、例えば、携帯端末用プログラムが記憶される。
【００２６】
携帯端末用プログラムは、コンピュータとしての端末側制御部１６を、認証装置２０との間でＩＤ情報の送信を含む通信を行う場合、ＩＣカード３０に記憶されたＩＤ情報と同じＩＤ情報（記憶部１３に記憶されたＩＤ情報）を、端末側通信部１２を介して認証装置２０に送信させ、認証装置２０との間でＩＤ情報の送信を含む通信が終了した場合、スリープ状態へ移行して、電源部１４から端末側通信部１２への電力の供給を停止させると共に、信号検知部としての電界通信Ｉ／Ｆにおいて通信開始信号を受信するまでスリープ状態を維持し、スリープ状態の間に、電界通信Ｉ／Ｆにおいて通信開始信号を受信した場合、スリープ状態から復帰して、電源部１４からリーダライタ１１及び端末側通信部１２へ電力の供給を開始させると共に、端末側通信部１２を介して認証装置２０との間でＩＤ情報の送信を含む通信を開始させる制御手段として機能させるためのプログラムである。
【００２７】
電源部１４は、リーダライタ１１、端末側通信部１２、記憶部１３、端末側制御部１６等に電力を供給する。電源部１４は、バッテリ本体、バッテリ制御ドライバ等（いずれも不図示）により構成される。
【００２８】
スイッチ１５は、カードホルダ１０にＩＣカード３０が挿入されたことを検知する電子部品である。スイッチ１５は、プッシュスイッチにより構成される。スイッチ１５は、可動片１５ａを備える。可動片１５ａは、筐体１００の厚さ方向に移動自在に支持され、スイッチ１５の電極接点（不図示）と連動している。
【００２９】
可動片１５ａは、図３に示すように、筐体１００にＩＣカード３０が挿入されていない状態では、バネ（不図示）の付勢力により、第１面１０１から突出する。この状態で、可動片１５ａと連動する電極接点は、非導通状態となる。一方、可動片１５ａは、図２に示すように、筐体１００にＩＣカード３０が挿入された状態では、ＩＣカード３０により押圧されるため、バネの付勢力に抗して第１面１０１に埋没する。この状態で、可動片１５ａと連動する電極接点は、導通状態となる。なお、可動片１５ａが第１面１０１から突出する状態で、可動片１５ａと連動する電極接点が導通状態となり、可動片１５ａが第１面１０１に埋没する状態で、可動片１５ａと連動する電極接点が非導通状態となる構成でもよい。
【００３０】
スイッチ１５は、非導通状態又は導通状態に対応した検知信号を、端末側制御部１６へ出力する。例えば、スイッチ１５が非導通状態の場合、端末側制御部１６へ出力される検知信号はＨ（Ｈｉｇｈ）レベルとなる。また、スイッチ１５が導通状態の場合、端末側制御部１６へ出力される検知信号はＬ（Ｌｏｗ）レベルとなる。
【００３１】
端末側制御部１６は、各ハードウェアと協働して、カードホルダ１０の動作を統括的に制御する。端末側制御部１６は、ＣＰＵ、メモリ等により構成される。端末側制御部１６は、記憶部１３に記憶された携帯端末用プログラム等のアプリケーションプログラムに基づいて、後述するＩＤ情報更新処理、ＩＤ情報読み出し処理等を実行する。端末側制御部１６において実行されるＩＤ情報更新処理及びＩＤ情報読み出し処理の概要は、以下の通りである。
【００３２】
（１）ＩＤ情報更新処理
端末側制御部１６は、カードホルダ１０にＩＣカード３０が挿入されると、電源オンの状態へ移行して、電源部１４からの電力の供給を開始させる。そして、端末側制御部１６は、リーダライタ１１を介してＩＣカード３０からＩＤ情報の読み出しを実行し、読み出したＩＤ情報を記憶部１３に記憶させる。その後、端末側制御部１６は、スリープ状態へ移行して、電源部１４から端末側通信部１２への電力の供給を停止させる。
【００３３】
また、端末側制御部１６は、カードホルダ１０からＩＣカード３０が抜き取られると、スリープ状態から復帰して、記憶部１３に記憶されているＩＤ情報を削除させる。そして、端末側制御部１６は、電源オフの状態へ移行して、電源部１４からの電力の供給を停止させる。
【００３４】
なお、リーダライタ１１は、ＩＣカード３０からＩＤ情報を読み出す必要が生じた場合に、電源部１４から電力が供給されることで起動する。また、リーダライタ１１は、ＩＣカード３０から読み出したＩＤ情報が端末側通信部１２により送信された後、電源部１４からの電力の供給が遮断されることで停止する。リーダライタ１１において、ＩＣカード３０からＩＤ情報を読み出す必要が生じるのは、スイッチ１５において、ＩＣカード３０の挿入が検知された場合等である。
【００３５】
（２）ＩＤ情報読み出し処理
端末側制御部１６は、電界通信Ｉ／Ｆ（端末側通信部１２）において通信開始信号を受信した場合、スリープ状態から復帰して、電源部１４から端末側通信部１２へ電力の供給を開始させる。そして、端末側制御部１６は、端末側通信部１２を介して認証装置２０との間でＩＤ情報の送信を含む通信を開始させる。本実施形態において、端末側制御部１６は、認証装置２０との間でＩＤ情報の送信を含む通信を行う場合に、記憶部１３から読み出したＩＤ情報を、端末側通信部１２を介して認証装置２０に送信させる。
【００３６】
端末側制御部１６は、認証装置２０との間でＩＤ情報の送信を含む通信が終了した場合、スリープ状態へ移行して、電源部１４から端末側通信部１２へ電力の供給を停止させる。そして、端末側制御部１６は、電界通信Ｉ／Ｆにおいて通信開始信号を受信するまで、スリープ状態を維持する。
【００３７】
次に、認証装置２０について説明する。
認証装置２０は、カードホルダ１０から、人体を介した電界通信により取得したＩＤ情報に基づいて、ドアＤの開錠、施錠を制御する。認証装置２０は、図１に示すように、認証側通信部２１と、記憶部２２と、認証側制御部２３と、ドア施錠管理部２４と、を備える。
【００３８】
認証側通信部２１は、利用者の人体を介した電界通信により、利用者の保持するカードホルダ１０（端末側通信部１２）との間で通信を行う。認証側通信部２１は、例えば、ドアの前に敷かれたマットに内蔵される。後述するように、利用者がドアの前に敷かれたマットを踏むと、認証側通信部２１の電極（不図示）を介して、カードホルダ１０との間で、利用者Ｐの人体を介した電界通信による信号の送受信が開始される。この利用者Ｐの人体を介した電界通信により、カードホルダ１０は、認証装置２０から通信開始信号等を受信することができる。また、利用者Ｐの人体を介した電界通信により、カードホルダ１０は、認証装置２０へＩＤ情報等を送信することができる。
【００３９】
記憶部２２は、ＩＤ情報を認証する際に参照するＩＤ情報テーブルのほか、認証側制御部２３で実行されるオペレーティングシステム（ＯＳ）、アプリケーションプログラム、各種データ等を記憶する。
【００４０】
認証側制御部２３は、各ハードウェアと協働して、認証装置２０の動作を統括的に制御する。認証側制御部２３は、ＣＰＵ、メモリ等（いずれも不図示）により構成される。認証側制御部２３は、記憶部２２に記憶されたオペレーティングシステム（ＯＳ）、アプリケーションプログラム等に基づいて、後述するＩＤ情報の認証に関する処理を実行する。
【００４１】
認証側制御部２３は、認証側通信部２１を介して、定期的に通信開始信号を送信させる。通信開始信号とは、携帯端末であるカードホルダ１０に対して、ＩＤ情報の送信を要求する信号である。
【００４２】
認証側制御部２３は、認証側通信部２１から受信したＩＤ情報の認証（正当性の検証）を行い、入室可と判定した場合には、ドアを開錠するための開錠信号をドア施錠管理部２４に送信する。
ドア施錠管理部２４は、ドアの開錠、施錠を管理する。ドア施錠管理部２４は、認証側制御部２３から開錠信号を受信すると、施錠されているドアの錠を解除する。
【００４３】
次に、入室管理システム１の具体例について説明する。ここでは、カードホルダ１０から人体を介した電界通信によりＩＤ情報を取得する入室管理システム１Ａと、カードホルダ１０から非接触の近距離通信によりＩＤ情報を取得する入室管理システム１Ｂについて説明する。入室管理システムは、室内へ入室しようとする者の入室の可否を管理するシステムである。なお、以下の説明において、カードホルダ１０は、筐体１００にＩＣカード３０が挿入された状態で使用される。
【００４４】
まず、カードホルダ１０から人体を介した電界通信によりＩＤ情報を取得する入室管理システム１Ａについて説明する。図４は、入室管理システム１Ａの全体構成図である。入室管理システム１Ａは、図４に示すように、利用者Ｐが保持するカードホルダ１０と、認証装置２０と、から構成される。カードホルダ１０、及び認証装置２０の構成については説明を省略する。
【００４５】
図４に示すように、利用者ＰがドアＤの前に敷かれたマットＭを踏むと、認証装置２０の認証側通信部２１から発せられた通信開始信号が、利用者Ｐの人体を介した電界通信により、認証装置２０からカードホルダ１０へ送信される。これにより、マットＭに内蔵された認証側通信部２１とカードホルダ１０（端末側通信部１２）との間で、利用者Ｐの人体を介した電界通信により、ＩＤ情報の送信を含む通信が開始される。
【００４６】
認証側制御部２３は、カードホルダ１０から受信したＩＤ情報と、記憶部２２に記憶されているＩＤ情報テーブルとを参照して、受信したＩＤ情報の認証を行う。認証側制御部２３は、受信したＩＤ情報がＩＤ情報テーブルに登録されている場合には、入室可と判定する。一方、認証側制御部２３は、受信したＩＤ情報がＩＤ情報テーブルに登録されていない場合には、入室不可と判定する。
【００４７】
認証側制御部２３は、受信したＩＤ情報について、入室可と判定した場合には、ドアＤを開錠するための開錠信号をドア施錠管理部２４に送信する。ドア施錠管理部２４は、認証側制御部２３から開錠信号を受信すると、施錠されているドアＤの錠を解除する。これにより、利用者Ｐは、開錠されたドアＤを開けて、室内に入ることができる。また、ドア施錠管理部２４は、認証側制御部２３から開錠信号を受信しない場合には、ドアＤの錠を解除することなく、施錠された状態を維持する。この場合、認証側制御部２３は、利用者Ｐに対して、例えば、ブザー等の警告音により報知する。
【００４８】
次に、カードホルダ１０から非接触の近距離通信によりＩＤ情報を取得する入室管理システム１Ｂについて説明する。入室管理システム１Ｂは、カードホルダ１０と認証側通信部２１との間の通信が、人体を介した電界通信ではなく、電磁誘導による非接触の近距離通信である点において、入室管理システム１Ａと異なる。図５は、入室管理システム１Ｂの全体構成図である。入室管理システム１Ｂは、図５に示すように、利用者Ｐが保持するカードホルダ１０と、認証装置２０Ａと、から構成される。
【００４９】
入室管理システム１Ｂにおいて、認証装置２０Ａの基本的な構成は、図１に示す認証装置２０と同じである。入室管理システム１Ｂでは、認証側通信部２１Ａが、電磁誘導による情報の送受信を行うリーダライタである点において、図１に示す認証装置２０の認証側通信部２１と異なる。
【００５０】
本実施形態の入室管理システム１Ｂにおいて、認証装置２０Ａの認証側通信部２１Ａ（図１参照）は、利用者Ｐの保持するカードホルダ１０のＩＣカード３０との間で電磁誘導により情報の送受信を行うリーダライタである。認証側通信部２１Ａで受信したＩＤ情報は、認証側制御部２３へ送信される。認証側制御部２３及びドア施錠管理部２４におけるドアＤの開錠、施錠の管理については説明を省略する。
【００５１】
図５に示すように、利用者Ｐが、カードホルダ１０をドアＤの前に配置された認証側通信部２１Ａにかざすと、カードホルダ１０に挿入されたＩＣカード３０と認証側通信部２１Ａとの間で電磁誘導による情報の送受信が行われ、ＩＣカード３０のＩＣチップ（メモリ）に記憶されたＩＤ情報が認証側通信部２１Ａに読み取られる。以後の処理は、図４に示す実施形態と同じであるため、説明を省略する。
【００５２】
以上のように、ＩＣカード３０が挿入されたカードホルダ１０は、人体を介した電界通信により送信されたＩＤ情報に基づいて認証を行う入室管理システム１Ａ、及び非接触の近距離通信により送信されたＩＤ情報に基づいて認証を行う入室管理システム１Ｂの両方に使用することができる。
【００５３】
次に、カードホルダ１０の端末側制御部１６により実行されるＩＤ情報更新処理について説明する。図６は、カードホルダ１０の端末側制御部１６により実行されるＩＤ情報更新処理の手順を示すフローチャートである。図６に示すＩＤ情報更新処理は、カードホルダ１０にＩＣカード３０が挿入された場合、及びカードホルダ１０からＩＣカード３０が抜き取られた場合に実行される。
【００５４】
図６に示すステップＳ（以下、「Ｓ」という）１０１において、端末側制御部１６は、カードホルダ１０にＩＣカード３０が挿入されたか否かを判定する。具体的には、端末側制御部１６は、スイッチ１５から出力される検知信号がＬレベル（導通状態）か否かを判定する。Ｓ１０１の判定がＹＥＳであれば、処理はＳ１０２へ移行する。また、Ｓ１０１の判定がＮＯであれば、処理はＳ１０７へ移行する。
【００５５】
Ｓ１０２（Ｓ１０１：ＹＥＳ）において、端末側制御部１６は、電源オンの状態に移行して、電源部１４からの電力の供給を開始させる。
Ｓ１０３において、端末側制御部１６は、リーダライタ１１を介してＩＣカード３０からＩＤ情報の読み出しを実行する。
【００５６】
Ｓ１０４において、端末側制御部１６は、ＩＣカード３０からＩＤ情報の読み出しに成功したか否かを判定する。Ｓ１０４の判定がＹＥＳであれば、処理はＳ１０５へ移行する。また、Ｓ１０４の判定がＮＯであれば、処理はＳ１０６へ移行する。
【００５７】
Ｓ１０５（Ｓ１０４：ＹＥＳ）において、端末側制御部１６は、ＩＣカード３０から読み出したＩＤ情報を、記憶部１３に記憶させる。
Ｓ１０６において、端末側制御部１６は、電源部１４を制御してスリープ状態へ移行して、電源部１４から端末側制御部１６及び記憶部１３への電力の供給を停止させる。端末側制御部１６は、Ｓ１０６の後、本フローチャートの処理を終了する。
【００５８】
一方、Ｓ１０７（Ｓ１０１：ＮＯ）において、端末側制御部１６は、カードホルダ１０からＩＣカード３０が抜き取られたか否かを判定する。具体的には、端末側制御部１６は、スイッチ１５から出力される検知信号がＨレベル（非導通状態）か否かを判定する。Ｓ１０７の判定がＹＥＳであれば、処理はＳ１０８へ移行する。また、Ｓ１０７の判定がＮＯであれば、処理はＳ１０１へ戻る。
【００５９】
Ｓ１０８（Ｓ１０７：ＹＥＳ）において、端末側制御部１６は、スリープ状態から復帰して、電源部１４から端末側通信部１２へ電力の供給を開始させる。
Ｓ１０９において、端末側制御部１６は、記憶部１３に記憶されているＩＤ情報を削除する。
Ｓ１１０において、端末側制御部１６は、電源オフの状態に移行して、電源部１４からの電力の供給を停止させる。端末側制御部１６は、Ｓ１１０の後、本フローチャートの処理を終了する。
【００６０】
上述したＩＤ情報更新処理によれば、カードホルダ１０は、ＩＣカード３０が挿入されると、電源オンの状態へ移行して、ＩＣカード３０から読み出したＩＤ情報を記憶部１３に記憶する。その後、カードホルダ１０は、スリープ状態へ移行する。また、カードホルダ１０は、ＩＣカード３０が抜き取られると、スリープ状態から復帰して、記憶部１３に記憶されているＩＤ情報を削除し、電源オフの状態へ移行する。
【００６１】
次に、カードホルダ１０の端末側制御部１６により実行されるＩＤ情報読み出し処理について説明する。図７は、カードホルダ１０の端末側制御部１６により実行されるＩＤ情報読み出し処理の手順を示すフローチャートである。図７に示すＩＤ情報読み出し処理は、認証装置２０から通信開始信号を受信した場合に実行される。
【００６２】
図７に示すＳ２０１において、端末側制御部１６は、通信開始信号を受信したか否かを判定する。本実施形態において、端末側制御部１６は、電界通信Ｉ／Ｆ（不図示）が通信開始信号を受信した場合に、通信開始信号の受信を確認する。Ｓ２０１の判定がＹＥＳであれば、処理はＳ２０２へ移行する。また、Ｓ２０１の判定がＮＯであれば、処理はＳ２０１へ戻る。
【００６３】
Ｓ２０２（Ｓ２０１：ＹＥＳ）において、端末側制御部１６は、スリープ状態から復帰して、電源部１４から端末側通信部１２へ電力の供給を開始させる。なお、カードホルダ１０にＩＣカード３０が挿入されていない場合は、電源オフの状態となるため、電界通信Ｉ／Ｆで通信開始信号を受信しても、Ｓ２０２以降の処理は実行されない。
Ｓ２０３において、端末側制御部１６は、記憶部１３に記憶されているＩＤ情報を読み出す。
【００６４】
Ｓ２０４において、端末側制御部１６は、認証装置２０との間でＩＤ情報の送信を含む通信を開始する。この後、カードホルダ１０と認証装置２０との間でＩＤ情報の送信を含む各種メッセージ信号の送受信が行われる。
【００６５】
Ｓ２０５において、端末側制御部１６は、認証装置２０との間でＩＤ情報の送信を含む通信が終了したか否かを判定する。Ｓ２０５の判定がＹＥＳであれば、処理はＳ２０６へ移行する。また、Ｓ２０５の判定がＮＯであれば、処理はＳ２０５へ戻る。
【００６６】
Ｓ２０６（Ｓ２０５：ＹＥＳ）において、端末側制御部１６は、スリープ状態へ移行し、電源部１４から端末側通信部１２へ電力の供給を停止させる。端末側制御部１６は、Ｓ２０６の後、本フローチャートの処理を終了する。
【００６７】
上述したＩＤ情報読み出し処理によれば、カードホルダ１０は、通信開始信号を受信すると、スリープ状態から復帰して、記憶部１３から読み出したＩＤ情報を認証装置２０へ送信する。そして、認証装置２０との間でＩＤ情報の送信を含む通信が終了すると、カードホルダ１０は、スリープ状態へ移行する。
【００６８】
上述した本実施形態の入室管理システム１によれば、以下のような効果を奏する。
（１）カードホルダ１０の端末側制御部１６は、認証装置２０から送信された通信開始信号を受信した場合、スリープ状態から復帰して、認証装置２０との間でＩＤ情報の送信を含む通信を開始する。また、カードホルダ１０は、認証装置２０との間でＩＤ情報の送信を含む通信が終了した場合、スリープ状態へ移行し、次に通信開始信号を受信するまでスリープ状態を維持する。これによれば、カードホルダ１０が電源オンの状態であっても、認証装置２０との間で通信していない間は、端末側通信部１２等へ電力が供給されないスリープ状態へ移行するため、消費電力を低減することができる。
【００６９】
（２）カードホルダ１０の端末側制御部１６は、認証装置２０との間でＩＤ情報の送信を含む通信を行う場合、記憶部１３から読み出したＩＤ情報を、端末側通信部１２を介して認証装置２０に送信させる。そのため、ＩＤ情報をＩＣカードからリーダライタ１１を介して読み出す場合に比べて、消費電力を低減することができる。また、カードホルダ１０において、ＩＤ情報の読み出しを開始してから認証装置２０へ送信するまでの処理速度を向上させることができる。
【００７０】
（３）カードホルダ１０の端末側制御部１６は、カードホルダ１０にＩＣカード３０が挿入された場合、電源オンの状態へ移行する。そのため、利用者は、電源スイッチ等を操作することなしに、カードホルダ１０にＩＣカード３０を挿入するだけで、カードホルダ１０を電源オンの状態にすることができる。また、カードホルダ１０の端末側制御部１６は、カードホルダ１０にＩＣカード３０が挿入された場合、リーダライタ１１を介してＩＣカード３０から読み出したＩＤ情報を記憶部１３に記憶させる。そのため、利用者は、カードホルダ１０にＩＣカード３０を挿入するだけで、ＩＤ情報をカードホルダ１０に記憶させることができる。更に、カードホルダ１０の端末側制御部１６は、ＩＣカード３０から読み出したＩＤ情報を記憶部１３に記憶させた後、スリープ状態へ移行する。そのため、カードホルダ１０にＩＣカード３０を挿入してから、通信開始信号を受信するまでの間の消費電力を低減することができる。
【００７１】
（４）カードホルダ１０の端末側制御部１６は、カードホルダ１０からＩＣカード３０が抜き取られた場合、記憶部１３に記憶されているＩＤ情報を削除する。これによれば、カードホルダ１０からＩＣカード３０が抜き取られた後に、カードホルダ１０の内部にＩＤ情報が残らないため、セキュリティ性を高めることができる。また、カードホルダ１０の端末側制御部１６は、カードホルダ１０からＩＣカード３０が抜き取られた場合、電源オフの状態へ移行する。そのため、次にカードホルダ１０にＩＣカード３０が挿入されるまでの間の消費電力を低減することができる。
【００７２】
以上、本発明の実施形態について説明したが、本発明は、上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせて用いることもできるが、詳細な説明は省略する。
【００７３】
［変形形態］
（１）本実施形態では、通信開始信号を受信した場合に、記憶部１３から読み出したＩＤ情報を認証装置２０へ送信する例について説明した。これに限らず、通信開始信号を受信する度に、ＩＣカード３０から読み出したＩＤ情報を認証装置２０へ送信するようにしてもよい。その場合は、図７に示すＳ２０３の処理を、リーダライタ１１によりＩＣカード３０からＩＤ情報を読み出す処理に変更すればよい。
【００７４】
（２）本実施形態では、スイッチ１５をカードホルダ１０の電源スイッチとして機能させる例について説明した。これに限らず、カードホルダ１０には専用の電源スイッチを設けた構成としてもよい。この場合、利用者は、カードホルダ１０に設けられた専用の電源スイッチを操作することにより、カードホルダ１０の電源をオン状態又はオフ状態に切り換えることができる。
【００７５】
（３）本実施形態では、カードホルダ１０の筐体１００に、１つのスイッチ１５を設けた構成について説明した。これに限らず、スイッチ１５を、筐体１００の複数箇所に設けてもよい。また、本実施形態では、スイッチ１５として、プッシュスイッチを用いた例について説明した。これに限らず、スイッチ１５は、ＩＣカード３０を検知することができ、且つ筐体１００に実装可能なものであれば、どのような構造のスイッチを用いてもよい。また、本実施形態では、スイッチ１５（記憶媒体検知部）として、ＩＣカード３０の存在を物理的に検知するスイッチを用いた例について説明した。これに限らず、記憶媒体検知部として、光学センサを用いてもよいし、カードホルダ１０へのＩＣカード３０の接近を検知する近接センサを用いてもよい。更に、プッシュスイッチ等の物理スイッチ、光学センサ、近接センサ等を適宜に組み合わせた構成としてもよい。
【００７６】
（４）本実施形態では、ＩＣカード３０から、非接触のリーダライタ１１によりＩＤ情報を読み取る例について説明した（図４参照）。この例に限らず、ＩＣカード３０の代わりに、磁気カードを用いてもよい。この場合、カードホルダ１０に挿入された磁気カード（磁気ストライプ）と、カードホルダ１０に内蔵された磁気カードリーダの磁気ヘッドとを接触させることにより、磁気カードからＩＤ情報を読み取ることができる。
【００７７】
（５）本実施形態では、人体を介した電界通信によりＩＤ情報を取得する入室管理システム１Ａにおいて、認証側通信部２１をドアＤの前に敷かれたマットＭに内蔵した例について説明した。これに限らず、認証側通信部２１をドアＤの近傍の壁面に配置してもよいし、ドアノブに組み込んでもよい。この場合、カードホルダ１０を携帯した利用者Ｐが送受信部に触れることにより、人体を介した電界通信による情報の送受信が可能となる。
【００７８】
（６）本実施形態では、カードホルダ１０を入室管理システムで使用する例について説明した。これに限らず、商業施設、公共施設、特定管理施設等の入場者にカードホルダ１０を保持させ、各施設の入口に送受信部を設置することにより、入場者の施設内への立ち入りを管理することができる。また、オフィスにおいて、従業員にカードホルダ１０を携帯させると共に、オフィス内のＯＡ機器（例えば、複合機）の近傍に送受信部を設置することにより、従業員によるＯＡ機器の使用を管理することができる。
【符号の説明】
【００７９】
１    入室管理システム
１０    カードホルダ
１１    リーダライタ
１２    電界通信部
１３    記憶部
１４    電源部
１５    スイッチ
１６    端末側制御部
２０    認証装置
３０    ＩＣカード
１００    筐体
１２１    信号電極
【図１】
2016072859.tif 000003
【図２】
2016072859.tif 000004
【図３】
2016072859.tif 000005
【図４】
2016072859.tif 000006
【図５】
2016072859.tif 000007
【図６】
2016072859.tif 000008
【図７】
2016072859.tif 000009